(57)【特許請求の範囲】
【請求項１】
車体に係止した有底筒状小物入れ本体を有し、該小物入れ本体の底面を部分的に嵩上げすることにより棚部が形成されると共に、その底面の棚部以外の部分からなる凹溝の端部が前記小物入れ本体の内側面まで延ばされており、前記凹溝の端部と前記小物入れ本体の内側面との間のコーナー部内周面が円弧状に形成されていることを特徴とする車載用小物入れ。
【請求項２】
前記凹溝が平面視一字状に形成されていることを特徴とする請求項１記載の車載用小物入れ。
【請求項３】
前記凹溝が平面視十字状に形成されていることを特徴とする請求項１記載の車載用小物入れ。
【発明の詳細な説明】
【０００１】
【発明の属する技術分野】
本発明は、例えばフォークリフトなどの車両の運転席近傍に紙コップやペン及びクリップなどの小物を係止するための車載用小物入れに関する。
【０００２】
【従来の技術】
図１０はカウンタバランス型フォークリフトの要部を示すものであって、車体１の前側にステアリングホイール２ａや切換レバー２ｂなどを備えた操作部２が設けられると共に、その車体１の後側に運転席３が設けられており、オペレーターが運転席３に座り、操作部２のステアリングホイール２ａや切換レバー２ｂなどを操作することにより、車体１を走行させると共に、フォーク（図示せず）を昇降させて、荷役作業を行うようになっている。また、荷役作業用小物などを入れるための小物入れ４が操作部２のパネル２ｃに着脱可能に取り付けられている。
【０００３】
従来、前記小物入れ４としては図１１（ａ）〜（ｂ）に示すものがある。これは、操作部２のパネル２ｃに貫設した貫通孔２ｄに挿入された有底円筒状小物入れ本体５を有し、該小物入れ本体５の内側面５ａと底面５ｂとの間のコーナー部内周面５ｃが円弧状に形成されている。なお、６は小物入れ本体５の外周面上端に突設されてパネル２ｃの上面に当接する鍔部、７は小物入れ本体５の外側面に突設されてパネル２ｃの下面に当接するストッパー突起、８は小物入れ本体５の底部に貫設した水抜き孔である。
【０００４】
具体的寸法の一例を説明すると、小物入れ本体５の深さｈが８７ｍｍ、その口径ｄが７６ｍｍであって、紙コップａやペンｂ及びクリップｃなどの各種の小物を収納することができるようになっている。
【０００５】
【発明が解決しようとする課題】
上記従来の構成では、底面５ｂ上のクリップｃを円弧状に形成したコーナー部内周面５ｃに沿って容易に引き上げることができると共に、小物入れ本体５の開口部からペンｂの重心Ｇまでの距離ｅが大きいため、車体１の走行時の振動でペンｂが小物入れ本体５から飛び出す虞れがない。しかし、紙コップａが小物入れ本体５内に深く入り過ぎて、該紙コップａの小物入れ本体５からの突出幅ｔが小さいため、その紙コップａの上端部をつかんで小物入れ本体５から引き出すことが困難である。
【０００６】
上記問題点を解消するため、図１２に示すように、小物入れ本体５の底部を所定間隔ｆだけ引き上げて、その深さｈを小さくすることが考えられる。これによると、クリップｃに関しては従来と同様に容易に引き上げることができると共に、紙コップａの小物入れ本体５からの突出幅ｔが大きくなるため、その紙コップａの上端部を容易につかんで小物入れ本体５から簡単に引き出すことができる。しかし、小物入れ本体５の開口部からペンｂの重心Ｇまでの距離ｅが小さくなるため、車体１の走行時の振動でペンｂが小物入れ本体５から飛び出す虞れがある（図１２仮想線参照）。
【０００７】
また、図１３（ａ）〜（ｃ）に示すように、小物入れ本体５の底部周縁を嵩上げして環状の棚部９を形成することが考えられる。これによると、紙コップａを棚部９に載せることにより、該紙コップａの小物入れ本体５からの突出幅ｔが大きくなるため、その紙コップａの上端部を容易につかんで小物入れ本体５から簡単に取り出すことができると共に、棚部９の内側に形成した凹溝１０内にペンｂの先端を差し込むことにより、小物入れ本体５の開口部からペンｂの重心Ｇまでの距離ｅが大きくなるため、車体１の走行時の振動でペンｂが小物入れ本体５から飛び出す虞れがない。しかし、凹溝１０の外径ｇが小さいため、その中に入り込んだクリップｃを指部により取り出すことが困難である（図１４参照）。
【０００８】
本発明は、上記従来の欠点に鑑み、長さや大きさ及び形状が異なる各種の小物の収納及びその取り出しを容易に行うことができる車載用小物入れを提供することを目的としている。
【０００９】
【課題を解決するための手段】
上記目的を達成するため、請求項１記載の発明は、車体に係止した有底筒状小物入れ本体を有し、該小物入れ本体の底面を部分的に嵩上げすることにより棚部が形成されると共に、その底面の棚部以外の部分からなる凹溝の端部が前記小物入れ本体の内側面まで延ばされており、前記凹溝の端部と前記小物入れ本体の内側面との間のコーナー部内周面が円弧状に形成されていることを特徴としている。
【００１０】
上記構成によれば、例えば紙コップを棚部に載せることにより、該紙コップの小物入れ本体からの突出幅が大きくなるため、その紙コップの上端部を容易につかんで小物入れ本体から簡単に引き出すことができる。また、例えばペンの先端を凹溝内に差し込むことにより、小物入れ本体の開口部からペンの重心までの距離が大きくなるため、車体の走行時の振動でペンが小物入れ本体から飛び出す虞れがなくなり、そのペンを小物入れ本体内に確実に収納することができる。更に、凹溝の端部が小物入れ本体の内側面まで延ばされているので、その凹溝内に収納されている例えばクリップなどの小物を小物入れ本体の内側面まで移動させて容易に引き上げることができる。また上記構成によれば、凹溝内に収納されているクリップなどの小物を円弧状に形成したコーナー部内周面に沿って容易に引き上げることができる。
【００１１】
請求項２記載の発明は、請求項１記載の発明において、前記凹溝が平面視一字状に形成されていることを特徴としている。
【００１２】
上記構成によれば、平面視一字状に形成した凹溝の側面に例えばペンの先端を接触させることにより、そのペンが倒れないように確実に支持することができる。
【００１３】
請求項３記載の発明は、請求項１記載の発明において、前記凹溝が平面視十字状に形成されていることを特徴としている。
【００１４】
上記構成によれば、平面視十字状に形成した凹溝の端部が４箇所あるため、凹溝内に収納されている例えばクリップなどの小物を四方から容易に取り出すことができる。
【００１５】
【発明の実施の形態】
図１〜図４は本発明の実施の一形態である車載用小物入れ４を示すものであって、有底筒状小物入れ本体５の底面５ｂを部分的に嵩上げすることにより棚部９が形成される共に、その底面５ｂの棚部９以外の部分からなる凹溝１０の端部が小物入れ本体５の内側面５ａまで延ばされている。上記以外の構成で図１１に示す従来例と同一部分に同一符号を付してその説明を省略する。
【００１６】
前記棚部９は、底面５ｂの周縁部に所定間隔をおいて左右一対設けられており、その両棚部９上に例えば紙コップａを載せることにより、該紙コップａの小物入れ本体５からの突出幅ｔが大きくなるため、その紙コップａの上端部を容易につかんで小物入れ本体５から簡単に引き出すことができる。
【００１７】
前記凹溝１０までの深さｈを大きくすることにより、該凹溝１０に差し込んだペンｂと小物入れ本体５の開口部までの距離ｅを大きくしており、これによって、車体１の走行時の振動でペンｂが小物入れ本体５から飛び出す虞れがなく、特に、凹溝１０を平面視一字状に形成しているので（図４参照）、その凹溝１０の側面１０ａにペンｂの先端を接触させることにより（図２参照）、そのペンｂが倒れないように確実に支持することができる。
【００１８】
更に、凹溝１０の両端部が小物入れ本体５の内側面５ａまで延ばされているので、その凹溝１０内に収納されている例えばクリップｃなどの小物を小物入れ本体５の内側面５ａまで移動させて容易に引き上げることができ、特に、凹溝１０の両端部と内側面５ａとの間のコーナー部内周面５ｃが円弧状に形成されているので、図５に示すように、コーナー部内周面５ｃに沿ってクリップｃなどの小物を指部により一層容易に引き上げることができる。
【００１９】
図６〜図９は本発明の実施の他の形態である車載用小物入れ４を示すものであって、凹溝１０が平面視十字状に形成されている（図９参照）。上記以外の構成は図１〜図４に示す実施の一形態とほぼ同一であるから、同一部分に同一符号を付してその説明を省略する。
【００２０】
上記構成によれば、平面視十字状に形成した凹溝１０の端部が９０°ごとに４箇所あるため、凹溝１０内に収納されている例えばクリップｃなどの小物を四方から容易に取り出すことができる。
【００２１】
上記実施の形態では、凹溝１０を一字状または十字状に形成したが、これに限定されるわけではなく、例えばＴ字状などの各種形状に形成してもよい。また、紙コップａやペンｂ及びクリップｃを収納する場合を例にあげて説明したが、これに限定されるわけではなく、例えばコーヒー缶や消しゴムなどの各種小物を収納する場合にも適用することができる。
【００２２】
【発明の効果】
請求項１記載の発明によれば、例えば紙コップを棚部に載せることにより、該紙コップの小物入れ本体からの突出幅が大きくなるため、その紙コップの上端部を容易につかんで小物入れ本体から簡単に引き出すことができる。また、例えばペンの先端を凹溝内に差し込むことにより、小物入れ本体の開口部からペンの重心までの距離が大きくなるため、車体の走行時の振動でペンが小物入れ本体から飛び出す虞れがなくなり、そのペンを小物入れ本体内に確実に収納することができる。更に、凹溝の端部が小物入れ本体の内側面まで延ばされているので、その凹溝内に収納されている例えばクリップなどの小物を小物入れ本体の内側面まで移動させて容易に引き上げることができる。また凹溝内に収納されているクリップなどの小物を円弧状に形成したコーナー部内周面に沿って容易に引き上げることができる。
【００２３】
請求項２記載の発明によれば、平面視一字状に形成した凹溝の側面に例えばペンの先端を接触させることにより、そのペンが倒れないように確実に支持することができる。
【００２４】
請求項３記載の発明によれば、平面視十字状に形成した凹溝の端部が４箇所あるため、凹溝内に収納されている例えばクリップなどの小物を四方から容易に取り出すことができる。
【図面の簡単な説明】
【図１】本発明の実施の一形態である車載用小物入れを示す斜視図である。
【図２】同縦断面図である。
【図３】図２のＡ−Ａ矢視図である。
【図４】同平面図である。
【図５】同クリップの取り出し状態を示す縦断面図である。
【図６】本発明の実施の他の形態である車載用小物入れを示す斜視図である。
【図７】同縦断面図である。
【図８】図７のＢ−Ｂ矢視図である。
【図９】同平面図である。
【図１０】小物入れを取り付けたフォークリフトの斜視図である。
【図１１】（ａ）は従来例を示す斜視図、（ｂ）は同縦断面図、（ｃ）は同平面図である。
【図１２】従来の変形の一例を示す縦断面図である。
【図１３】（ａ）は従来の変形の他の例を示す斜視図、（ｂ）は同縦断面図、（ｃ）は同平面図である。
【図１４】同クリップの取り出し状態を示す縦断面図である。
【符号の説明】
１      車体
４      小物入れ
５      小物入れ本体
５ａ    小物入れ本体の内側面
５ｂ    小物入れ本体の底面
５ｃ    コーナー部内周面
９      棚部
１０    凹溝
ａ      紙コップ（小物）
ｂ      ペン（小物）
ｃ      クリップ（小物）
【図１】
0003614737.tif 000002
【図２】
0003614737.tif 000003
【図３】
0003614737.tif 000004
【図４】
0003614737.tif 000005
【図５】
0003614737.tif 000006
【図６】
0003614737.tif 000007
【図７】
0003614737.tif 000008
【図８】
0003614737.tif 000009
【図９】
0003614737.tif 000010
【図１０】
0003614737.tif 000011
【図１１】
0003614737.tif 000012
【図１２】
0003614737.tif 000013
【図１３】
0003614737.tif 000014
【図１４】
0003614737.tif 000015